【事件の表示】
　平成１１年特許願第２３０８８０号「医療計画及び記録支援システム並びにプログラムを記録した機械読み取り可能な媒体」拒絶査定不服審判事件〔平成１３年　２月２３日出願公開、特開２００１−　５２０７３〕について、次のとおり審決する。
【結　論】
　本件審判の請求は、成り立たない。
【理　由】
１．手続きの経緯
　本願は、平成１１年８月１７日に出願されたものであって、平成１６年２月１２日付けで拒絶査定がされ、これに対して平成１６年３月１６日に拒絶査定不服審判が請求されると共に平成１６年４月１５日に手続補正がなされたものである。
　
２．平成１６年４月１５日付けの手続補正についての補正却下の決定
［補正却下の決定の結論］
　平成１６年４月１５日付けの手続補正を却下する。
［理由］
（１）補正後の本願発明
　平成１６年４月１５日付けの手続補正により、特許請求の範囲の請求項２１は、
　「【請求項２１】予め設定された複数種類の医療行為のうちのいずれかを示す医療行為データを各医療行為の実行時期を示す実行時期データに対応付けて夫々格納する複数のファイル手段と、
　現在日時を計測する日時計測手段と、
　前記複数のファイル手段に夫々格納された前記医療行為データ及び前記実行時期データに基づいて、一の患者に関する一連の医療計画をなす前記医療行為データを日付け別且つ種類別に並べた医療計画表のフォーマットで表示するための主表示データを生成し、前記計測された現在日時と前記各医療行為の実行時期との関係に応じて予め設定された複数種類の状況表示マークのうちの一つを選定して該選定した状況表示マークを前記医療計画表中の対応する前記医療行為データに重ねて又は隣接して且つ前記医療計画表中の一日の幅を２４時間に換算した場合における前記各医療行為の実行時期が対応する前記医療計画表中の位置に表示するための第１副表示データを生成する表示制御手段と、
　前記主表示データ及び前記第１副表示データに基づいて、前記状況表示マークと共に前記医療行為データを前記医療計画表のフォーマットで表示する表示手段と
　を備えており、
　前記複数のファイル手段は夫々、前記医療行為データ及び前記実行時期データを格納すると共に前記表示制御手段に前記複数種類の状況表示マークのうちの一つを選定させて前記第１副表示データを生成させる手順情報、並びに前記各医療行為が既に実行されたか否かを示す実績情報を更に格納する第１オブジェクトファイル手段からなると共に、
　前記表示制御手段は、前記手順情報に基づいて、前記各医療行為の実行時期から前記現在日時までの期間が予め設定した期間よりも長い場合には一の種類の状況表示マークを表示するための前記第１副表示データを生成し、前記各医療行為の実行時期から前記現在日時までの期間が前記予め設定した期間よりも短い場合には他の種類の状況表示マークを表示するための前記第１副表示データを生成し、前記現在日時が前記各医療行為の実行時期を過ぎた場合には更に他の種類の状況表示マークを表示するための前記第１副表示データを生成すると共に、前記実績情報に応じて異なる種類の状況表示マークを選定すること
　を特徴とする医療計画及び記録支援システム。」
と補正された。
　
　前記補正は、補正前の請求項２４に記載した発明を特定するために必要な事項を限定するための補正であり、特許法第１７条の２第４項第２号の特許請求の範囲の減縮を目的とするものに該当する。
　そこで、本件補正後の前記請求項２１に記載された発明（以下、「本願補正発明」という。）が特許出願の際独立して特許を受けることができるものであるか、すなわち特許法第１７条の２第５項において準用する同法第１２６条第５項の規定に適合するかどうかについて以下に検討する。
　
（２）引用刊行物
　原審が拒絶の理由に引用した特開平９−１８５６５１号公報（平成９年７月１５日出願公開。以下、「引用例１」という。）には、図面と共に次の各記載がある。
　
（ア）「【００５５】
【本発明の実施の形態】以下、本発明の実施の形態を図面に基づいて説明する。
第１の実施の形態
図１は、第１の実施の形態としての
医療計画支援システム
【００５６】図１において、
医療計画支援システム１
【００５７】医療計画支援センター装置１０１は、
複数の患者夫々に対する複数種類の医療行為を示す医療行為データを各医療行為の実行にかかる少なくとも日付け毎に記憶する医療データ記憶手段の一例としての記憶装置１０２
【００５８】医療計画支援操作装置２０１は夫々、患者識別データを入力するための入力手段の一例を構成する入力装置２０２と、該入力装置２０２により入力された患者識別データを回線２を介して通信部１０３に送信すると共に通信部１０３から送信された医療行為データを回線２を介して受信する第１及び２受信手段の一例を構成する通信部２０３と、
該受信された医療行為データの示す医療行為を複数種類別に日付け毎に並べた表として画像出力するための出力データを、該表の枠組みを規定する所定のフォーマット情報及びこの受信された医療行為データに基づいて生成する出力データ生成手段の一例としての制御部２０４
【００５９】
入力装置２０２は、各患者、各日付け及び各種類についての医療行為データを入力可能に構成されており
　なお、下線は審決において附された。以下同様。
　
（イ）「【００６１】図１において、
記録装置１０２は、各患者、各日付け及び各種類の医療行為（例えば、検査、処置、注射、対診、評価、投薬など）を示す医療行為データ並びに各医療行為に関連する詳細医療データ（体温データ、血圧データ、血液成分データなど）を記憶する装置
記憶装置１０２に記憶される医療行為データは、既に実行された医療行為及び将来実行される医療行為の両方を含む
【００６２】図２（ａ）に示すように、
記憶装置１０２内には、例えば、医療行為データ及びこれに付随する詳細医療データを患者別にまとめて格納する複数の第１階層ファイル１０２ａが論理的に構築されている
複数の第１階層ファイル１０２ａ
複数の第２階層ファイル１０２ｂ
制御部２０４により受信された第１階層ファイルを第２階層ファイルの順に並べれば迅速に表を構成する出力データを生成できる
複数の第１階層ファイル１０２ｃ
第２階層ファイル１０２ｄ
本実施の形態では、特に、各医療行為を既に実行したか否かを示す即ち各医療行為についての結果を示す詳細医療データが存在するか否かを示す結果フラグが、各医療行為データに付けられている
【００６３】図３に示すように、入力装置２０２は、患者識別データ、各患者、各日付け及び各種類についての医療行為データ並びにこれに付随する詳細医療データを手動により入力可能な入力操作装置２０２ａを備えている。
本実施の形態では特に、医療行為の結果として得られる詳細医療データが入力されると、当該医療行為が既に実行されたことを示す結果フラグが立てられるように構成されている
（中略）
【００６５】再び、図１において、通信部２０３は、医療計画支援センター装置１０１から送信された一定量の医療行為データ及びこれに付随する詳細医療データを格納するＲＡＭ等から構成されたバッファメモリを備えている。通信部２０３のバッファメモリに格納された医療行為データ及びこれに付随する詳細医療データを用いて、制御部２０４は、出力データを生成する。
通信部２０３は、入力装置２０２から入力された、各患者、各日付け及び各種類についての医療行為データを、回線２を介して通信部１０３に更に送信する
通信部２０３は
表示装置２０５の画面上で追加、変更及び削除されて生成された新たな医療行為データ及びこれに付随する詳細医療データや、読み取り装置２０２ｂ及び２０２ｃから入力された患者識別データ、医療行為データ等をも送信する
通信部１０３は、このようにして送信された医療行為データを受信し、記憶装置１０２は、受信された医療行為データ及びこれに付随する詳細医療データを記憶する
【００６６】図１において、
医療計画支援操作装置２０１は、表の枠組みを規定するフォーマット情報を含む複数の画像出力用のフォーマットを示すフォーマット情報を記憶するフォーマット記憶手段の一例としての記憶装置２０７を更に備えており
制御部２０４は、入力装置２０２により表のフォーマットが指定されると、日付け毎に区分された列と複数種類別に区分された行とからなる表として画像出力するための出力データを、記憶装置２０７に予め記憶された該表の枠組みを規定する所定のフォーマット情報及びこの受信された医療行為データに基づいて生成する
【００６７】より具体的には例えば、
制御部２０４は
医療行為データを
中間データに変換する
他方、制御部２０４は、出力しようとする表の枠組みを規定するフォーマット情報を記憶装置２０７のフォーマット情報記憶領域から読み出し、中間データに変換された医療行為データの各種類及び各日付けについてのデータ量から、このフォーマットにより表を作成した場合の各枠に入るデータ量を計算して、各枠の大きさを決定する。更に、各枠内に表示及び印字される文字、記号等のフォントサイズを計算すると共に各文字や記号の各枠内における表示及び印字位置を決定する。この際、表全面について同一のフォントサイズで文字、記号等を表示及び印字するように出力データを生成してもよいし、各枠毎や各文字毎に異なるフォントサイズで表示及び印字するように出力データを生成してもよい
【００６８】制御部２０４は、このように指定された表の枠組に対し、表示すべき中間データ（医療行為データ）に対応するフォントのサイズ及び位置を決定すると、次に、表の枠組みを示すフォーマット情報及び決定したフォントのサイズ及び位置を、表示装置２０５及び印刷装置２０６により即時出力可能なビットマップデータに展開する。即ち、制御部２０４は、一つの表を構成する中間データを、記憶装置２０７の画像用メモリ領域に又は表示装置２０５や印刷装置２０６の内蔵する出力バッファメモリに、表単位でビットマップ展開する。尚、中間データとして、アウトラインデータを用いると、任意の表の枠組みの大きさに対し、表示及び印字文字、記号等の倍率を任意に変更できるので有利であるが、制御部２０４の構成を簡素化すべく、アウトラインデータを用いることなく、予め設定した複数種類のサイズのみのフォントデータを、ビットマップデータを作成する前段階の中間データとして用いるようにしてもよい。」
　
（ウ）「【００６９】以上のように構成された制御部２０４により出力データが生成されると、これを受けて、ＣＲＴ表示装置、液晶ディスプレイ装置等から構成された
表示装置２０５
印刷装置２０６
表１０が出力される
【００７０】図４に示すように、
表１０は、医療行為の種類別に区分された行１１と日付け毎に区分された列１２とからなり、各行１１を構成する複数種類の医療行為は、医師や看護の記録、処置、注射、検査、対診、評価、投薬、食事、活動制限、観察、リハビリテーション、コーディネーション、入退院、患者家族の教育等からなる。これらの項目については、使用環境に応じて任意の項目を設定できるが、使用可能性がある複数種類のフォーマットが予め図１に示した記憶装置２０７に記憶されており、このうち所望の一つを選択できるように構成されているので便利である
各医療行為を示す医療行為データとしては、各行為を文章で表したデータであってもよく、各行為の内容を特定の規約に従ってコード化したデータであってもよい
医師の記録や看護の記録を示す医療行為データには、患者の病状を文章で表したデータや、患者の病状の内容を特定の規約に従ってコード化したデータを含めてもよく、更に、医療結果を文章で表したデータや、医療結果の内容を特定の規約に従ってコード化したデータを含めてもよい
医師による記録と看護婦による記録とが同一の表示画面やプリント出力上に表示されるので、医師と看護婦との意志の疎通と連係作業が極めて良好に図られる
本実施の形態では、「記録」という医療行為に関連するより詳細な記録を示す詳細医療データは、表には見えないが、表示された医療行為データにデータ構造上ぶら下がった形式で、記憶装置２０７に記憶されており、例えば、図３に示した入力操作装置２０２ａのマウスをクリックすると表とは異なるフォーマットでこの詳細医療データが画面に表示されるように構成されている。そして、このような「記録」にかかる医療行為データや詳細医療データには、記録する度に、タイムスタンプが打たれるので即ち、記録された日時が詳細医療データとして記録されるように構成されているので、医師と看護婦とは当該表を用いて会話的に情報を共有できる
【００７１】
このような表１０が表示装置２０５の画面上に表示されると、入力装置２０２は、表の各枠の出力データを追加、変更及び削除可能に構成されており、通信部２０３は、制御部２０４による制御の下でこのように追加、変更及び削除された出力データに対応する新たな医療行為データ及びこれに付随する詳細医療データを回線２を介して通信部１０３に送信する
記憶装置１０２は、制御部１０４による制御の下で通信部１０３により受信された新たな医療行為データ及びこれに付随する詳細医療データを用いて、記憶内容を更新する
更に、過去の患者に対して好適に行われた医療計画を示す医療行為データを格納するフロッピーディスク等から図３に示した読み取り装置２０２ｃを介して、表に示された医療行為データを全部又は部分的に変更することもでき、便利である
【００７２】尚、
医療計画支援操作装置２０１は、日をカウントするカウント手段の一例としての時計を内部に備え
異なる方法での出力とは、例えば、明度、色彩、字体、線の種類、濃度、編みかけなどを出力画像上で異ならせて表示する
【００７３】図１において、入力装置２０２は、表示装置２０５の画面に表示された出力データの示す日付けに含まれる任意の日及び複数種類に含まれる任意の種類の少なくとも一方を指定可能に構成されており、
制御部２０４は、入力装置２０２により指定された日及び種類の少なくとも一方にかかる医療行為データを表とは異なるフォーマットにより、これに付随する詳細医療データと共に表示装置２０５の画面に表示するための出力データを生成する
表１０として画面に表示された複数の日付けのうち指定された日及び種類にかかる医療行為データのみをこれに付随する詳細医療データと共に用いて、図５に示すようなリスト形式で、より詳細な情報を画面一杯に表示したり、画面上で拡大表示したりするための出力データを生成する
【００７４】更に、入力装置２０２は、表示装置２０５により一つの表に含まれるべき日数を指定可能に構成されており、制御部２０４は、表の各枠を埋める出力データの少なくとも一部をフォントから構成すると共に該フォントのサイズを入力装置２０２により指定された日数に応じて定まる表を構成する各枠に見合ったサイズとするように構成されている。即ち、例えば、７月１日から７月１４日までというように表に含まれる日数として１４日を指定した場合には、表の各枠が比較的小さくなるので、この小さい枠に見合った小さいサイズのフォントを用いて出力データを生成する。一方、例えば、７月１日から７月３日までというように表に含まれる日数として３日を指定した場合には、表の枠が比較的大きくなるので、この大きい枠に見合った大きいサイズのフォントを用いて出力データを生成する。
【００７５】本実施の形態の場合、
医療行為データには、医療行為データが示す医療行為が既に実行されたか否かを示す結果フラグが付けられている。制御部２０４は、この結果フラグに基づいて既に実行された医療行為に対応する画像出力部分とまだ実行されていない医療行為に対応する画像出力部分とが異なる方法で出力されるように表示データを生成するように構成されている
実行されていない行為については青色の文字を出力し、実行された行為については黒色の文字を出力し、更に、異なるフォーマットで表示可能な例えば、血液中成分データ等の数値データを伴う医療行為データについては赤色の文字を出力するように制御部２０４は構成されている。色彩以外にも、明度、字体、線の種類、濃度、編みかけなどを出力画像上で異ならせるように構成してもよい。このように、結果フラグに応じて表示方法を変えれば、表の各医療行為について詳細医療データが有るのか無いのかが一目瞭然であり、大変便利である
【００７６】図６に、本実施の形態において表示装置２０５及び印刷装置２０６により、出力可能な
表の他の例
記憶装置１０２は、少なくとも一部の医療行為データについては日付けと共に時刻までも含めた日時毎に記憶するように構成されている。制御部２０４は、少なくとも一部の医療行為データに対しては、表の各枠の中で更に各医療行為を時刻毎に並べて画像出力するための出力データを生成する。これを受けて、表示装置２０５及び印刷装置２０６は、図６に示すように、一つの枠２１の内部が時間毎のリストに分けられた表２０を出力する。このように構成すると、例えば、記録や計画すべき医療行為が多い入院時等には、表の各枠の中で時間毎に各医療行為が並べられるので、一日に行われる医療行為の様子を見易くなり便利である
【００７７】図７に、本実施の形態において表示装置２０５及び印刷装置２０６により、出力可能な
表の他の例
記憶装置１０２は、少なくとも一部の医療行為データについては日付けと共に時刻までも含めた日時毎に記憶するように構成されている。制御部２０４は、少なくとも一部の医療行為データに対しては、日付け毎に並べる代わりに、医療行為データを所定時間単位にまとめて該所定時間毎に並べた表として画像出力するための出力データを生成するように構成されている。これを受けて、表示装置２０５及び印刷装置２０６は、図７に示すように、例えば、６時間毎の医療行為を一つの枠内にまとめて、６時間毎に並べた表３０を出力する。このように構成すると、例えば、記録や計画すべき医療行為が多い入院時等には、細かな時間毎のスケジュールを計画、記録できる。６時間の他に、１、２、３、４、８又は１２時間といった２４時間を区分しやすい時間を単位とするのが好ましいが、昼を長くし夜を短くするなど任意の長さの時間に区分することが可能である。このような単位毎に並べた表３０として画像出力すれば、一日に行われる医療行為の様子を見易くなり便利である
【００７８】図８に、本実施の形態において表示装置２０５及び印刷装置２０６により、出力可能な
表の他の例
制御部２０４は、少なくとも一部の医療行為データについては日付け毎に並べる代わりに、医療行為データを連続した複数日単位にまとめて該複数日毎に並べた表形式のフォーマットにより画像出力するための出力データを生成するように構成されている。これを受けて、表示装置２０５及び印刷装置２０６は、図８に示すように、例えば、１箇月毎の医療行為を一つの枠４１内にまとめて、１箇月毎に並べた表４０を出力する。１箇月の他に、３日、１週間、１年又は１０年といった分かりやすい期間を単位とするのが好ましいが、入院の間は単位となる期間を短くし通院の間は期間を長くするなど任意の長さの期間に区分することが可能である。このように医療行為の少なさに応じて医療行為データをまとめれば、長期間に亘る医療行為の様子を見易くなり便利である
【００７９】図９に、本実施の形態において表示装置２０５及び印刷装置２０６により、出力可能な
表の他の例
詳細医療データは、複数の日付けについて記録された所定の医療行為に関連する数値データ（例えば、日毎に測定された体温データ、血圧データ、血液中の所定成分濃度データなど）を含んでいるものとする。制御部２０４は、表示装置２０５の画面５１の一部分に表５２を表示すると共に数値データを画面５１の他の部分に表５２の日付けの並びに対応した軸を持つグラフとして表示するための出力データを生成するように構成されている。この結果、図９に示すように、表示画面５１の下部には、表５２が表示され、この上部余白には、Ａ項目（例えば、体温）についての数値データを示す折れ線グラフ５３及びＢ項目（例えば、血圧）についての数値データを示す折れ線グラフ５４が表５２の日付けを時間軸として表示される
【００８０】尚、以上に説明した図４から図９に示した表等の表示フォーマットを示すフォーマット情報は、記憶装置２０７に予め記憶されており、フォーマット選択用のメニュー画面等により自由に選択できるように構成されている。」
　
（エ）「【０１０４】
【発明の効果】請求項１に記載の医療計画支援システムによれば、第２医療計画支援装置の側において、
医療行為データの示す医療行為を複数種類別に日付け毎に並べた表が画像出力され、各患者、各日付け及び各種類についての医療行為データが入力され、第１医療計画支援装置の側において、該入力された医療行為データが記憶されるので、各医療計画支援装置において、医師、看護婦、薬剤師等の病院の全スタッフが同じ表を同時に見ることができ、各患者の状態に関する同一の情報を全スタッフで共有でき、更に、表を見ながら各スタッフが適宜医療行為データを入力することができる
【０１０５】請求項２に記載の医療計画支援システムによれば、フォーマット記憶手段に記憶された複数の画像出力用のフォーマットの中から
指定されたフォーマットにより、表が画像出力されるので、夫々の医療計画支援装置の使用環境や使用目的に適した表を適宜表示したり印刷したりできるので、大変便利である
（中略）
【０１１０】請求項７に記載の医療計画支援システムによれば、
医師、看護婦等の操作者毎に予め定められた入力可能な種類の医療行為を示す医療行為データのみが記憶されるので、特定種類のスタッフが積極的に医療行為データひいては医療計画の修正、変更、追加等の入力を行うことができ、他の種類のスタッフがこのように入力されたデータを破壊することを防止し得、最終的には、このように入力された医療行為データの蓄積により医療データ記憶手段の中に最適な医療計画を構築することも可能となる
（中略）
【０１１２】請求項１０に記載の医療計画支援システムによれば、
日付け毎に区分された列と複数種類別に区分された行とからなる表が画像出力されるので、過去の治療プロセスや医療計画の日程を表から簡単に理解できる
【０１１３】　請求項１１に記載の医療計画支援システムによれば、
治療、処置、注射、検査、対診、評価、投薬、食事、活動制限、観察、リハビリテーション、コーディネーション、入退院、患者家族の教育、医師の記録及び看護の記録といった各種の医療行為を示す表が画像出力されるので、各種の医療行為を日に対応付けて一目で理解できる
【０１１４】請求項１２に記載の医療計画支援システムによれば、
本日と一致する日にかかる画像出力部分が他の画像出力部分と異なる方法で出力された表が画像出力されるので、日付け毎に並べられた表の中で、本日がどこにあるのか、即ち治療プロセスが現時点でどこまで行われたのかが一目で分かり
【０１１５】請求項１３に記載の医療計画支援システムによれば、
表上で各医療行為が実行されたか否かが一目瞭然で分かるので便利であり、特に表示された医療行為データの下に医療行為の結果を示す詳細医療データが存在するのか否かも一目で理解できる
（中略）
【０１１９】請求項１７に記載の医療計画支援システムによれば、
少なくとも一部の医療行為について、各枠の中で更に時刻毎に並べられた表が画像出力されるので、各表の枠の中にある各医療行為の時間的な並びを一目で理解でき便利である
【０１２０】請求項１８に記載の医療計画支援システムによれば、
少なくとも一部の医療行為については、６時間、１２時間等の所定時間単位毎に並べた表が画像出力されるので、入院時など一日の中で時刻毎に緻密な医療計画を立てる場合に、便利である
【０１２１】請求項１９に記載の医療計画支援システムによれば、
少なくとも一部の医療行為について、１週間、１月等の複数日単位毎に並べた表が画像出力されるので、例えば入院からかなりの期間離れた医療行為を一つの表の中に入れて見る上で、便利である
【０１２２】請求項２０に記載の医療計画支援システムによれば、
相互に同一な構成を有する第１及び第２医療計画支援装置の夫々において、同じ表を出力したり、医療行為データを入力したりできるので、同一機種のパソコン等をネットワーク化することにより当該医療計画支援システムを構築できる
（中略）
【０１２６】以上の結果、本発明により、
病院の全スタッフが同じ表を同時に見ることができるので同一情報を全スタッフが共有することができ、更に患者についての各種の情報が同一の表に示されているので各患者の状態が一目で理解でき、更にまた各医療行為の担当スタッフによる継続的なデータ入力によって、謂わば全スタッフの連係プレーによる医療行為データの蓄積によって医療計画を立てたり適宜変更したりできる医療計画支援システムを実現できる
　
　以上の記載から見て、引用例１には、次のような発明が記載されているものと認められる。
　「通信手段を介して結ばれる複数の医療計画支援装置を備えており、前記複数の医療計画支援装置のうち少なくとも一つの第１医療計画支援装置は、複数の患者夫々に対する複数種類の医療行為を示す医療行為データを各医療行為の実行にかかる少なくとも日付け毎に記憶する医療データ記憶手段と、前記複数の患者のうち任意の一人を示す患者識別データを前記通信手段を介して受信する第１受信手段と、該受信された患者識別データの示す患者についての医療行為データを前記医療データ記憶手段から選択する選択手段と、該選択された医療行為データを前記通信手段を介して送信する第１送信手段とを備えており、
　前記複数の医療計画支援装置のうち少なくとも一つの第２医療計画支援装置は、前記患者識別データを入力するための入力手段と、該入力手段により入力された患者識別データを前記通信手段を介して前記第１受信手段に送信する第２送信手段と、前記第１送信手段から送信された医療行為データを前記通信手段を介して受信する第２受信手段と、該受信された医療行為データの示す医療行為を前記複数種類別に前記日付け毎に並べた表として画像出力するための出力データを、該表の枠組みを規定する所定のフォーマット情報及び前記受信された医療行為データに基づいて生成する出力データ生成手段と、該生成された出力データを画像出力する出力手段とを備えており、
　前記入力手段は、各患者、各日付け及び各種類についての前記医療行為データを入力可能に構成されており、前記第２送信手段は、前記入力手段により入力された医療行為データを前記通信手段を介して前記第１受信手段に更に送信し、前記第１受信手段は、前記送信された医療行為データを更に受信し、前記医療データ記憶手段は、前記受信された医療行為データを記憶することを特徴とする医療計画支援システム。」
　
（３）対比
　本願補正発明と引用例１に記載された発明を対比すると、引用例１に記載された発明の「ファイル１０２ａ〜１０２ｄ」は、本願補正発明の「ファイル手段」に相当し、引用例１に記載された発明の「医療計画を示す表１０，表２０，表３０，表４０」は、本願補正発明の「医療計画表」に相当し、引用例１に記載された発明の「制御部２０４」は、本願補正発明の「表示制御手段」に相当し、引用例１に記載された発明の「表示装置２０５」は、本願補正発明の「表示手段」に相当し、 引用例１に記載された発明の「日をカウントするカウント手段の一例としての時計」は、本願補正発明の「日時計測手段」に相当し、引用例１に記載された発明の「医療計画支援システム」は、本願補正発明の「医療計画及び記録支援システム」に相当することは明らかである。
　
　そして、引用例１には、医療用のファイル構成に関して次の記載がある。
(i)「【００６１】図１において、
記録装置１０２は、各患者、各日付け及び各種類の医療行為（例えば、検査、処置、注射、対診、評価、投薬など）を示す医療行為データ並びに各医療行為に関連する詳細医療データ（体温データ、血圧データ、血液成分データなど）を記憶する装置であり、磁気ディスク装置、光ディスク装置等の周知の大容量記憶装置から構成されている。記憶装置１０２に記憶される医療行為データは、既に実行された医療行為及び将来実行される医療行為の両方を含む
【００６２】
図２（ａ）に示すように、記憶装置１０２内には、例えば、医療行為データ及びこれに付随する詳細医療データを患者別にまとめて格納する複数の第１階層ファイル１０２ａが論理的に構築されている
複数の第１階層ファイル１０２ａには夫々、医療行為データ及びこれに付随する詳細医療データを日付けデータの日付け別にまとめて格納する複数の第２階層ファイル１０２ｂが論理的に構築されている
図２（ｂ）に示すように、複数の第１階層ファイル１０２ｃには夫々、医療行為データ及びこれに付随する詳細医療データを複数種類別にまとめて格納する複数の第２階層ファイル１０２ｄが論理的に構築される
このようにファイルを論理的に構成すると、図２（ａ）の場合と同じように迅速に選択、送受信及び出力データ生成動作を行える
各医療行為を既に実行したか否かを示す即ち各医療行為についての結果を示す詳細医療データが存在するか否かを示す結果フラグが、各医療行為データに付けられている
【００６３】図３に示すように、入力装置２０２は、患者識別データ、各患者、各日付け及び各種類についての医療行為データ並びにこれに付随する詳細医療データを手動により入力可能な入力操作装置２０２ａを備えている。本実施の形態では特に、医療行為の結果として得られる詳細医療データが入力されると、
当該医療行為が既に実行されたことを示す結果フラグが立てられるように構成されている
　この記載からみるに、引用例１には、患者に対して計画された複数種類の医療行為のうちのいずれかを示す医療行為データを各医療行為の実行時期を示す実行時期データに対応付けることにより、医療行為データ及び実行時期データからなる複数のファイル１０２ａ〜１０２ｄを論理的に構築し、これらのファイルを記憶装置１０２内に格納することが記載されているから、本願補正発明と引用例１に記載された発明とは、
　「予め設定された複数種類の医療行為のうちのいずれかを示す医療行為データを各医療行為の実行時期を示す実行時期データに対応付けて夫々格納する複数のファイル手段」
を備えている点で差異はない。
　
　なお、治療情報を日付けに対応付けてファイルに記憶するようになし、そして治療計画の雛形を保管するファイル、修飾された治療計画を保管するファイル、患者の状態を保管するファイル等を備え、保管されている治療情報を、日付けに応じて自動的に出力するようにした医療情報システムは、原審が拒絶の理由で引用した特開平５−３１４１５０号公報にその旨の記載があるように当業者には周知である。
　
　また、引用例１には、日時カウント手段に関して次の記載がある。
(i)「【００７２】尚、
医療計画支援操作装置２０１は、日をカウントするカウント手段の一例としての時計を内部に備え
　この記載からみるに、本願補正発明と引用例１に記載された発明とは、
　「現在日時を計測する日時計測手段」
を備えている点で差異はない。
　
　また、引用例１には、医療計画表フォーマット及びそのフォーマットで表示される医療行為データと日付データ、すなわち主表示データに関して次の記載がある。
(i)「【００６１】図１において、
記録装置１０２は、各患者、各日付け及び各種類の医療行為
記憶装置１０２に記憶される医療行為データは、既に実行された医療行為及び将来実行される医療行為の両方を含む
(ii)「【００６６】図１において、
医療計画支援操作装置２０１は、表の枠組みを規定するフォーマット情報を含む複数の画像出力用のフォーマットを示すフォーマット情報を記憶するフォーマット記憶手段の一例としての記憶装置２０７を更に備えており
日付け毎に区分された列と複数種類別に区分された行とからなる表として画像出力するための出力データを、記憶装置２０７に予め記憶された該表の枠組みを規定する所定のフォーマット情報及びこの受信された医療行為データに基づいて生成する
(iii)「【００７０】
図４に
表１０は、医療行為の種類別に区分された行１１と日付け毎に区分された列１２とからなり、各行１１を構成する複数種類の医療行為は、医師や看護の記録、処置、注射、検査、対診、評価、投薬、食事、活動制限、観察、リハビリテーション、コーディネーション、入退院、患者家族の教育等からなる
使用可能性がある複数種類のフォーマットが予め図１に示した記憶装置２０７に記憶されており、このうち所望の一つを選択できる
患者の病状の内容を特定の規約に従ってコード化したデータを含めてもよく
医療結果の内容を特定の規約に従ってコード化したデータを含めてもよい
医師による記録と看護婦による記録とが同一の表示画面やプリント出力上に表示される
当該表を用いて
(iv)「【００７６】
図６に
出力可能な表の他の例を示す
記憶装置１０２は、少なくとも一部の医療行為データについては日付けと共に時刻までも含めた日時毎に記憶するように構成されている
制御部２０４は、少なくとも一部の医療行為データに対しては、表の各枠の中で更に各医療行為を時刻毎に並べて画像出力するための出力データを生成する
表示装置２０５及び印刷装置２０６は、図６に示すように、一つの枠２１の内部が時間毎のリストに分けられた表２０を出力する
【００７７】
図７に
出力可能な表の他の例を示す
記憶装置１０２は、少なくとも一部の医療行為データについては日付けと共に時刻までも含めた日時毎に記憶するように構成されている
制御部２０４は、少なくとも一部の医療行為データに対しては、日付け毎に並べる代わりに、医療行為データを所定時間単位にまとめて該所定時間毎に並べた表として画像出力するための出力データを生成するように構成されている
表示装置２０５及び印刷装置２０６は、図７に示すように、例えば、６時間毎の医療行為を一つの枠内にまとめて、６時間毎に並べた表３０を出力する
６時間の他に、１、２、３、４、８又は１２時間といった２４時間を区分しやすい時間を単位とするのが好ましい
表３０
【００７８】
図８に
出力可能な表の他の例を示す
制御部２０４は、少なくとも一部の医療行為データについては日付け毎に並べる代わりに、医療行為データを連続した複数日単位にまとめて該複数日毎に並べた表形式のフォーマットにより画像出力するための出力データを生成するように構成されている
表示装置２０５及び印刷装置２０６は、図８に示すように、例えば、１箇月毎の医療行為を一つの枠４１内にまとめて、１箇月毎に並べた表４０を出力する
【００７９】
図９に
出力可能な表の他の例を示す
制御部２０４は、表示装置２０５の画面５１の一部分に表５２を表示すると共に数値データを画面５１の他の部分に表５２の日付けの並びに対応した軸を持つグラフとして表示するための出力データを生成するように構成されている
一日を表す表５２の各枠の幅を２４時間に換算して表５２の上部の線を時間軸としてグラフを書けば、時間情報と表５２の対比が理解しやすくなり有利である
【００８０】尚、以上に説明した
図４から図９に示した表等の表示フォーマットを示すフォーマット情報は、記憶装置２０７に予め記憶されており、フォーマット選択用のメニュー画面等により自由に選択できる
　これらの記載からみるに、本願補正発明と引用例１に記載された発明とは、
　「前記複数のファイル手段に夫々格納された前記医療行為データ及び前記実行時期データに基づいて、一の患者に関する一連の医療計画をなす前記医療行為データを日付け別且つ種類別に並べた医療計画表のフォーマットで表示するための主表示データを生成」
している点で差異はない。
　
　また、引用例１には、医療行為データを医療計画フォーマットで表示する表示装置に関して次の記載がある。
(i)「【００５８】医療計画支援操作装置２０１は夫々、患者識別データを入力するための入力手段の一例を構成する入力装置２０２と、該入力装置２０２により入力された患者識別データを回線２を介して通信部１０３に送信すると共に通信部１０３から送信された医療行為データを回線２を介して受信する第１及び２受信手段の一例を構成する通信部２０３と、
該受信された医療行為データの示す医療行為を複数種類別に日付け毎に並べた表として画像出力するための出力データを、該表の枠組みを規定する所定のフォーマット情報及びこの受信された医療行為データに基づいて生成する出力データ生成手段の一例としての制御部２０４と、該生成された出力データを表示出力する表示手段の一例としての表示装置２０５
(ii)「【００６９】以上のように構成された制御部２０４により出力データが生成されると、これを受けて、
ＣＲＴ表示装置、液晶ディスプレイ装置等から構成された表示装置２０５
【００７０】図４に示すように、
表１０は、医療行為の種類別に区分された行１１と日付け毎に区分された列１２とからなり、各行１１を構成する複数種類の医療行為は、医師や看護の記録、処置、注射、検査、対診、評価、投薬、食事、活動制限、観察、リハビリテーション、コーディネーション、入退院、患者家族の教育等からなる。これらの項目については、使用環境に応じて任意の項目を設定できるが、使用可能性がある複数種類のフォーマットが予め図１に示した記憶装置２０７に記憶されており、このうち所望の一つを選択できる
（中略）
【００７１】
このような表１０が表示装置２０５の画面上に表示される
（中略）
【００７２】尚、医療計画支援操作装置２０１は、日をカウントするカウント手段の一例としての時計を内部に備え、
制御部２０４は該カウントされた日に基づいて本日と一致する日にかかる画像出力部分が他の画像出力部分と異なる方法で出力されるように表示データを生成するように構成してもよい
異なる方法での出力とは、例えば、明度、色彩、字体、線の種類、濃度、編みかけなどを出力画像上で異ならせて表示する
【００７３】図１において、入力装置２０２は、
表示装置２０５
制御部２０４は、入力装置２０２により指定された日及び種類の少なくとも一方にかかる医療行為データを表とは異なるフォーマットにより、これに付随する詳細医療データと共に表示装置２０５の画面に表示するための出力データを生成する
（中略）
【００７５】本実施の形態の場合、
医療行為データには、医療行為データが示す医療行為が既に実行されたか否かを示す結果フラグが付けられている。制御部２０４は、この結果フラグに基づいて既に実行された医療行為に対応する画像出力部分とまだ実行されていない医療行為に対応する画像出力部分とが異なる方法で出力されるように表示データを生成するように構成されている
実行されていない行為については青色の文字を出力し、実行された行為については黒色の文字を出力し、更に、異なるフォーマットで表示可能な例えば、血液中成分データ等の数値データを伴う医療行為データについては赤色の文字を出力するように制御部２０４は構成されている。色彩以外にも、明度、字体、線の種類、濃度、編みかけなどを出力画像上で異ならせるように構成してもよい。このように、結果フラグに応じて表示方法を変えれば、表の各医療行為について詳細医療データが有るのか無いのかが一目瞭然であり、大変便利である
【００７６】図６に、本実施の形態において
表示装置２０５
表の他の例
（中略）
【００７７】図７に、本実施の形態において
表示装置２０５
表の他の例
（中略）
【００７８】図８に、本実施の形態において
表示装置２０５
表の他の例
（中略）
【００８０】尚、以上に説明した
図４から図９に示した表等の表示フォーマットを示すフォーマット情報
　これらの記載からみるに、本願補正発明と引用例１に記載された発明とは、
　「前記主表示データに基づいて、前記医療行為データを前記医療計画表のフォーマットで表示する表示手段」
を備えている点で差異はない。
　
　また、引用例１には、医療行為が実行されたか否かを示す実績情報に関して次の記載がある。
(i)「【００６１】図１において、記録装置１０２は、各患者、各日付け及び各種類の医療行為（例えば、検査、処置、注射、対診、評価、投薬など）を示す医療行為データ並びに各医療行為に関連する詳細医療データ（体温データ、血圧データ、血液成分データなど）を記憶する装置であり、磁気ディスク装置、光ディスク装置等の周知の大容量記憶装置から構成されている。
記憶装置１０２に記憶される医療行為データは、既に実行された医療行為及び将来実行される医療行為の両方を含む
(ii)「【００６３】図３に示すように、入力装置２０２は、患者識別データ、各患者、各日付け及び各種類についての医療行為データ並びにこれに付随する詳細医療データを手動により入力可能な入力操作装置２０２ａを備えている。
本実施の形態では特に、医療行為の結果として得られる詳細医療データが入力されると、当該医療行為が既に実行されたことを示す結果フラグが立てられるように構成されている
(iii)「【００７５】本実施の形態の場合、
医療行為データには、医療行為データが示す医療行為が既に実行されたか否かを示す結果フラグが付けられている。制御部２０４は、この結果フラグに基づいて既に実行された医療行為に対応する画像出力部分とまだ実行されていない医療行為に対応する画像出力部分とが異なる方法で出力されるように表示データを生成するように構成されている
実行されていない行為については青色の文字を出力し、実行された行為については黒色の文字を出力し、更に、異なるフォーマットで表示可能な例えば、血液中成分データ等の数値データを伴う医療行為データについては赤色の文字を出力するように制御部２０４は構成されている。色彩以外にも、明度、字体、線の種類、濃度、編みかけなどを出力画像上で異ならせるように構成してもよい。このように、結果フラグに応じて表示方法を変えれば、表の各医療行為について詳細医療データが有るのか無いのかが一目瞭然であり、大変便利である
　これらの記載からみて、本願補正発明と引用例１に記載された発明とは、
　「前記複数のファイル手段は夫々、前記医療行為データ及び前記実行時期データを格納すると共に前記各医療行為が既に実行されたか否かを示す実績情報を更に格納する第１オブジェクトファイル手段」
を備えている点で差異はない。
　
　そうすると、本願補正発明と引用例１に記載された発明とは、次の点で一致する。
（一致点）
　「予め設定された複数種類の医療行為のうちのいずれかを示す医療行為データを各医療行為の実行時期を示す実行時期データに対応付けて夫々格納する複数のファイル手段と、
　現在日時を計測する日時計測手段と、
　前記複数のファイル手段に夫々格納された前記医療行為データ及び前記実行時期データに基づいて、一の患者に関する一連の医療計画をなす前記医療行為データを日付け別且つ種類別に並べた医療計画表のフォーマットで表示するための主表示データを生成する表示制御手段と、
　前記主表示データに基づいて、前記医療行為データを前記医療計画表のフォーマットで表示する表示手段と
　を備えており、
　前記複数のファイル手段は夫々、前記医療行為データ及び前記実行時期データを格納すると共に前記各医療行為が既に実行されたか否かを示す実績情報を更に格納する第１オブジェクトファイル手段からなると共に、
　前記表示制御手段は、前記実績情報に応じて異なる種類の表示様式を選定する医療計画及び記録支援システム。」
　
　そして、本願補正発明と引用例１に記載された発明とは、引用例１の次の記載、すなわち
(i)「【００７０】図４に示すように、表１０は、医療行為の種類別に区分された行１１と日付け毎に区分された列１２とからなり、各行１１を構成する複数種類の医療行為は、医師や看護の記録、処置、注射、検査、対診、評価、投薬、食事、活動制限、観察、リハビリテーション、コーディネーション、入退院、患者家族の教育等からなる。これらの項目については、使用環境に応じて任意の項目を設定できるが、使用可能性がある複数種類のフォーマットが予め図１に示した記憶装置２０７に記憶されており、このうち所望の一つを選択できるように構成されているので便利である。尚、このようなフォーマットの選択は、フォーマット選択メニューを表示装置２０５に表示して選択するようにしてもよい。この場合、
各医療行為を示す医療行為データとしては、各行為を文章で表したデータであってもよく、各行為の内容を特定の規約に従ってコード化したデータであってもよい
医師の記録や看護の記録を示す医療行為データには、患者の病状を文章で表したデータや、患者の病状の内容を特定の規約に従ってコード化したデータを含めてもよく、更に、医療結果を文章で表したデータや、医療結果の内容を特定の規約に従ってコード化したデータを含めてもよい
(ii)「【００７２】尚、医療計画支援操作装置２０１は、日をカウントするカウント手段の一例としての時計を内部に備え、
制御部２０４は該カウントされた日に基づいて本日と一致する日にかかる画像出力部分が他の画像出力部分と異なる方法で出力されるように表示データを生成するように構成してもよい
異なる方法での出力とは、例えば、明度、色彩、字体、線の種類、濃度、編みかけなどを出力画像上で異ならせて表示する
に鑑みると、次の点で相違する。
（相違点１）
　本願補正発明の表示制御手段は、計測された現在日時と各医療行為の実行時期との関係に応じて予め設定された複数種類の状況表示マークのうちの一つを選定して該選定した状況表示マークを医療計画表中の対応する医療行為データに重ねて又は隣接して且つ前記各医療行為の実行時期が対応する前記医療計画表中の位置に表示するための第１副表示データを生成しているのに対し、
　引用例１に記載された発明の制御部２０４は、日時カウント手段でカウントされた現在日時と各医療行為の実行時期との関係に応じて予め設定されたコードデータのうちの一つ、すなわち医療行為の内容、医療結果の内容、及び患者の病状等を規約に従ってコード化したデータの中の一つを選定し該選定したコードデータを医療計画表中の対応する医療行為データに隣接してかつ各医療行為の実行時期が対応する医療計画表中の位置に表示するための副次的表示データを生成している点。
　
　加えて、本願補正発明と引用例１に記載された発明は、引用例１の次の記載、すなわち
(i)「【００７５】本実施の形態の場合、
医療行為データには、医療行為データが示す医療行為が既に実行されたか否かを示す結果フラグが付けられている。制御部２０４は、この結果フラグに基づいて既に実行された医療行為に対応する画像出力部分とまだ実行されていない医療行為に対応する画像出力部分とが異なる方法で出力されるように表示データを生成するように構成されている
実行されていない行為については青色の文字を出力し、実行された行為については黒色の文字を出力し、更に、異なるフォーマットで表示可能な例えば、血液中成分データ等の数値データを伴う医療行為データについては赤色の文字を出力するように制御部２０４は構成されている。色彩以外にも、明度、字体、線の種類、濃度、編みかけなどを出力画像上で異ならせるように構成してもよい。このように、結果フラグに応じて表示方法を変えれば、表の各医療行為について詳細医療データが有るのか無いのかが一目瞭然であり、大変便利である
に鑑みると次の点で相違する。
（相違点２）
　本願補正発明の表示制御手段は、手順情報に基づいて、各医療行為の実行時期から現在日時までの期間が予め設定した期間よりも長い場合には一の種類の状況表示マークを表示するための第１副表示データを生成し、前記各医療行為の実行時期から前記現在日時までの期間が前記予め設定した期間よりも短い場合には他の種類の状況表示マークを表示するための前記第１副表示データを生成し、前記現在日時が前記各医療行為の実行時期を過ぎた場合には更に他の種類の状況表示マークを表示するための前記第１副表示データを生成すると共に、前記実績情報に応じて異なる種類の状況表示マークを選定しているのに対して、
　引用例１に記載された発明の制御部２０４は、各医療行為の実行時期から現在日時までの期間が予め設定した期間よりも長いか短いか或いは過ぎたかに応じて異なる種類の状況表示マークを表示するための第１副表示データを生成していないものの、医療行為が実行されたか否かを示す実績情報に応じて異なる表示態様で医療行為データを表示している点。
　　
（４）判断
（相違点１について）
　上記相違点１について判断するに、
(i)一般に、軍の参謀本部の作戦会議において、ある期間にわたる作戦遂行状況を示す数値・文章・図形データ等と共にそのデータが一目で分かる記号やマーク（例えば、戦車のマーク、飛行機のマーク、兵員のマーク等）を該データに付して所定期間の作戦遂行状況を的確に表示することは、良く行われていることである。また、天気予報システムにおいて、本日より一週間の未来にわたる天気を予報する際、天気の状態を示す記号やマーク（例えば、太陽で示される「晴れ」のマーク、雲で示される「曇り」のマーク、傘で示される「雨」のマーク等）を天気予報データに付して向こう一週間の天気の状況を的確に表示することは、良く行われていることである。
(ii)原審が拒絶の理由に引用した特開平８−１３７９４６号公報には、
　(0)各画面の処理済設定の項目内チェックボックスを指定すると、該当する予定事項のチェック欄にチェックマーク（本願補正発明の状況表示マークに相当）を表示すると共に、同予定事項データの処理日時のデータ部分に処理日時として現在日時を書込み、この処理によりこの予定事項を、以後「処理済みリスト」として扱って自動的に表示させないようになし、
　(1)未処理と判断される予定事項のみを集めて未処理の予定事項データの集合を作り、この未処理の予定事項データの集合を、記入日時によりソートして並べ換え、この結果を所定の要領で表示する「一覧の表示」処理
　(2)未処理と判断される予定事項のみを集めて
未処理の予定事項データの集合を
表示終了日が迫っているものほど優先的に表示
重要度が高いものほど優先的に表示
　(3)未処理と判断される予定事項のみを集めて未処理の予定事項データの集合を作り、この未処理の予定事項データの集合から、本日が表示開始日付と表示終了日付との間に当たる所定事項データのみを選択してメインリストデータの集合を作り、表示終了日順で表示を行う場合には、
表示終了日が迫っているものほど優先的に表示
重要度が高いものほど優先的に表示
　(4)基本的には表示期限切れ項目に移されたスケジュール情報は自動的に表示されないものであるが、未処理と判断される予定事項のみを集めて未処理の予定事項データの集合を作り、この集合の中から本日より前に表示終了日があるものを選択して期限切れの予定事項のデータの集合を作り、
この期限切れの予定事項のデータの集合を、表示終了日によりソートして並べ換え、この結果を表示
　(5)未処理の予定事項の集合を作り、この
未処理の予定事項のデータの集合を
この結果を表示
を行うスケジュール管理装置が記載されている。
(iii)原審が拒絶の理由に引用した特開平９−１６０９６５号公報には、
　現在時刻マーク（本願補正発明の現在日時マークに相当）、および、各スポットにおける航空便の到着及び出発状況を示すマーク（本願補正発明の状況表示マークに相当）を表示装置に表示することにより、航空機の駐機場の運用監視をリスクなしに行うスケジュール管理システムが記載されている（第４〜８図参照）。
(iv)原審が拒絶の理由に引用した特開平１１−２２４２３８号公報には、表示部にカレンダ５１（本願補正発明の状況表示マークに相当）を表示し、カレンダ５１の日付が指定されたとき、表示部時間表示バー５４（本願補正発明の状況表示マークに相当）を表示し、更に、時間標示バー５４上の複数箇所の時間帯５５（本願補正発明の状況表示マークに相当）が指定されたとき、各時間帯５５に対して対応する日付及びスケジュール関連情報を表示部に表示するようにして、状況表示マークが時間の経過と共に自動的に変更するように構成されたスケジュール管理装置が記載されている。
　以上の(i)〜(iv)に示される当業者には周知な技術事項に鑑みると、引用例１に記載された発明に上記周知技術事項を適用することにより、本願補正発明の如く、計測された現在日時と各医療行為の実行時期との関係に応じて予め設定された複数種類の状況表示マークのうちの一つを選定して該選定した状況表示マークを医療計画表中の対応する医療行為データに重ねて又は隣接して且つ前記各医療行為の実行時期が対応する前記医療計画表中の位置に表示するための第１副表示データを生成するようにすることは、当業者が適宜なし得ることである。
　
（相違点２について）
　上記相違点２について判断するに、
(i)本件出願前に公開された特開平１０−２７０８４号公報には、
　現在時刻レジスタ１４ｂにセット管理されている現在の年月日が、例えば、スケジュール期限日の１ヶ月前になった場合には、当初設定された重要度“Ｂ”（黄色指定）（本願補正発明の状況表示マークに相当）は、“Ａ”（青色指定）（本願補正発明の状況表示マークに相当）に変更設定され、さらに日時が経過して、現在の年月日が、スケジュール期限日の２週間前になった場合には、先の変更済み重要度“Ａ”（青色指定）は、更に、“緊急”（赤色指定）（本願補正発明の状況表示マークに相当）に変更されるスケジュール管理に係る表示装置が記載されている。
(ii)先にも述べたように、原審が拒絶の理由に引用した特開平８−１３７９４６号公報には、
　(0)各画面の処理済設定の項目内チェックボックスを指定すると、該当する予定事項のチェック欄にチェックマーク（本願補正発明の状況表示マークに相当）を表示すると共に、同予定事項データの処理日時のデータ部分に処理日時として現在日時を書込み、この処理によりこの予定事項を、以後「処理済みリスト」として扱って自動的に表示させないようになし、
　(1)未処理と判断される予定事項のみを集めて未処理の予定事項データの集合を作り、この未処理の予定事項データの集合を、記入日時によりソートして並べ換え、この結果を所定の要領で表示する「一覧の表示」処理
　(2)未処理と判断される予定事項のみを集めて未処理の予定事項データの集合を作り、表示終了日順で表示を行う場合には、
表示終了日が迫っているものほど優先的に表示
重要度が高いものほど優先的に表示
　(3)未処理と判断される予定事項のみを集めて未処理の予定事項データの集合を作り、この未処理の予定事項データの集合から、本日が表示開始日付と表示終了日付との間に当たる所定事項データのみを選択してメインリストデータの集合を作り、表示終了日順で表示を行う場合には、
表示終了日が迫っているものほど優先的に表示
重要度が高いものほど優先的に表示
　(4)基本的には表示期限切れ項目に移されたスケジュール情報は自動的に表示されないものであるが、未処理と判断される予定事項のみを集めて未処理の予定事項データの集合を作り、この集合の中から本日より前に表示終了日があるものを選択して期限切れの予定事項のデータの集合を作り、
この期限切れの予定事項のデータの集合を、表示終了日によりソートして並べ換え、この結果を表示
　(5)未処理の予定事項の集合を作り、
この未処理の予定事項のデータの集合を、処理日時によりソートして並べ換え、この結果を表示
を行うスケジュール管理装置が記載されている。
　以上の(i)，(ii)に示される当業者には周知な技術事項に鑑みると、引用例１に記載された発明に上記周知技術事項を適用することにより、本願補正発明の如く、手順情報に基づいて、各医療行為の実行時期から現在日時までの期間が予め設定した期間よりも長い場合には一の種類の状況表示マークを表示するための第１副表示データを生成し、前記各医療行為の実行時期から前記現在日時までの期間が前記予め設定した期間よりも短い場合には他の種類の状況表示マークを表示するための前記第１副表示データを生成し、前記現在日時が前記各医療行為の実行時期を過ぎた場合には更に他の種類の状況表示マークを表示するための前記第１副表示データを生成すると共に、前記実績情報に応じて異なる種類の状況表示マークを選定するようにすることは、当業者が適宜なし得ることである。
　
（５）むすび
　以上のとおり、本願補正発明は、引用例１及び周知技術に基づいて当業者が容易に発明をすることができたものであるから、特許法第２９条第２項の規定により特許出願の際、独立して特許を受けることができるものではなく、特許法第１７条の２第５項で準用する同法１２６条第５項の規定に違反するものであるから、平成１６年４月１５日付けの手続補正は、特許法第１５９条第１項で準用する同法第５３条第１項の規定により却下すべきものである。
　
３．本願発明について
　平成１６年４月１５日付けの手続補正は、前記のとおり却下されるから、本願の特許請求の範囲の請求項２４に係る発明（以下、「本願発明」という。）は、出願当初の明細書の特許請求の範囲の請求項２４に記載された次のとおりのものである。
　
　「【請求項２４】予め設定された複数種類の医療行為のうちのいずれかを示す医療行為データを各医療行為の実行時期を示す実行時期データに対応付けて夫々格納する複数のファイル手段と、
　現在日時を計測する日時計測手段と、
　前記複数のファイル手段に夫々格納された前記医療行為データ及び前記実行時期データに基づいて、一の患者に関する一連の医療計画をなす前記医療行為データを日付け別且つ種類別に並べた医療計画表のフォーマットで表示するための主表示データを生成し、前記計測された現在日時と前記各医療行為の実行時期との関係に応じて予め設定された複数種類の状況表示マークのうちの一つを選定して該選定した状況表示マークを前記医療計画表中の対応する前記医療行為データに重ねて又は隣接して且つ前記医療計画表中の一日の幅を２４時間に換算した場合における前記各医療行為の実行時期が対応する前記医療計画表中の位置に表示するための第１副表示データを生成する表示制御手段と、
　前記主表示データ及び前記第１副表示データに基づいて、前記状況表示マークと共に前記医療行為データを前記医療計画表のフォーマットで表示する表示手段と
　を備えたことを特徴とする医療計画及び記録支援システム。」
　
（１）引用例
　原審の拒絶の理由で引用された引用例、及びその記載事項は、前記「２．（２）」項に記載したとおりである。
　
（２）対比・判断
　本願発明は、前記「２．」項で検討した本願補正発明からその限定事項である
　「前記複数のファイル手段は夫々、前記医療行為データ及び前記実行時期データを格納すると共に前記表示制御手段に前記複数種類の状況表示マークのうちの一つを選定させて前記第１副表示データを生成させる手順情報、並びに前記各医療行為が既に実行されたか否かを示す実績情報を更に格納する第１オブジェクトファイル手段からなると共に、前記表示制御手段は、前記手順情報に基づいて、前記各医療行為の実行時期から前記現在日時までの期間が予め設定した期間よりも長い場合には一の種類の状況表示マークを表示するための前記第１副表示データを生成し、前記各医療行為の実行時期から前記現在日時までの期間が前記予め設定した期間よりも短い場合には他の種類の状況表示マークを表示するための前記第１副表示データを生成し、前記現在日時が前記各医療行為の実行時期を過ぎた場合には更に他の種類の状況表示マークを表示するための前記第１副表示データを生成すると共に、前記実績情報に応じて異なる種類の状況表示マークを選定する」
を省いたものである。
　そうすると、本願発明を特定する事項をすべて含み、さらに他の特定する事項を付加したものに相当する本願補正発明が、前記「２．（４）」項に記載したとおり、引用例１に記載された発明及び周知技術とに基づいて当業者が容易に発明をすることができたものであるから、本願発明も、同様の理由により、引用例１に記載された発明及び周知技術とに基づいて当業者が容易に発明をすることができたものである。
　
（３）むすび
　以上のとおり、本願発明は、引用例１に記載された発明及び周知技術に基づいて当業者が容易に発明をすることができたものであり、特許法第２９条第２項の規定により特許を受けることができないものであるから、他の請求項について検討するまでもなく、本願は特許を受けることができない。
　よって、結論のとおり審決する。